(57)【要約】【課題】フロントエンドＲＦアンテナモジュールを持つＲＦ通信フロントエンド装置を提供することにある【解決手段】  マイクロチップアンテナ、ＲＦフロントエンド信号処理のコアチップを含み、前記マイクロチップアンテナは電磁波を送信と受信してその他無線設備と信号を通信することに用い、本発明で使用するモジュール形式は、ＲＦ信号を直接ＲＦフロントエンド信号処理のコアチップを経由して処理するため、電磁波の送信と受信の効率を最適化させることができることを特徴とする。【選択図】    図１
2008301465.tif 000002
【特許請求の範囲】
【請求項１】
当該フロントエンドＲＦアンテナモジュールは、電磁波を送信してその他無線設備と信号交換に用い、本発明ではモジュール形式を使用しているため、電磁波の送信と受信の効率を最適化させることができるＲＦアンテナ、及び、ＲＦフロントエンド信号の処理コアチップモジュールと、
アナログとデジタルの信号交換を処理するための信号処理モジュールと、
音声入力装置である入力ユニットと、
音声出力装置である出力ユニット、及び、
当該フロントエンドＲＦアンテナモジュールと当該信号処理モジュールの制御に用い、更に当該フロントエンドＲＦアンテナモジュールと当該信号モジュールの信号の伝送と交換を制御する選択手段を持つマイクロコントロールユニットを含むことを特徴とする、フロントエンドＲＦアンテナモジュールを持つ通信装置。
【請求項２】
請求項１記載のフロントエンドＲＦアンテナモジュールを持つ通信装置において、前記フロントエンドＲＦアンテナモジュール内に、パワーアンプとフィルタの回路組合せを含み、ＲＦ変換器に合せて電磁波に変換し、アンテナを通じて信号を送信と受信することを特徴とする、フロントエンドＲＦアンテナモジュールを持つ通信装置。
【請求項３】
請求項１記載のフロントエンドＲＦアンテナモジュールを持つ通信装置において、当該信号処理モジュールは、アナログ信号をデジタル信号に変換でき、また、デジタル信号をアナログ信号にも変換できることを特徴とする、フロントエンドＲＦアンテナモジュールを具えた通信装置。
【請求項４】
請求項１記載のフロントエンドＲＦアンテナモジュールを持つ通信装置において、入力ユニットは、マイクロホン、或いは、数字内部コードの信号等とすることができることを特徴とする、フロントエンドＲＦアンテナモジュールを持つ通信装置。
【請求項５】
請求項１記載のフロントエンドＲＦアンテナモジュールを持つ通信装置において、入力ユニットは、受話器、或いは、スピーカとすることができることを特徴とする、フロントエンドＲＦアンテナモジュールを持つ通信装置。
【発明の詳細な説明】
【技術分野】
【０００１】
本発明は、フロントエンドＲＦアンテナモジュールを具えた通信装置に関り、特に通信装置であると共にフロントエンドＲＦアンテナモジュールの電磁波が通信装置のその他の電気ループの回路に対する影響を引き下げることができることにある。
【背景技術】
【０００２】
既知の無線通信装置の伝送効率は、均しくアンテナ本体の特性により信号損失があるので、往々にしてＲＦ信号を有効的に送信して有効的なＲＦ無線伝送信号とするため、送信電力をアップする必要があり、つまり電磁波の強度を増大させ、且つ高周波数信号の下で、これら電磁波が通信装置内のその他電気ループとＲＦ結合に干渉が生じることにより、通信装置の回路設計の困難性が高くなっている。
【０００３】
図１は、一般的な既知の携帯電話モジュールの具体的な実施例のデバイス関係図である。これにはパワーアンプ１１、低域通過フィルタ１２、ＲＦ信号変換器１３、アンテナ１４、ローノイズアンプ１５、帯域通過フィルタ１６、入力ユニット３のような音声入力ユニットにリンクするアナログ/デジタル変換器２１、デジタル/アナログ変換器２２及び出力ユニット４のような出力ユニット及びマイクロコントロールユニット５を含む。
【０００４】
前述の当該アナログ/デジタル変換器２１の一端と当該入力ユニット３は、電気接続し、他端が当該パワーアンプ１１と相互に接続し、当該パワーアンプ１１が当該アナログ/デジタル変換器２１で得た信号を増幅し、当該低域通過フィルタ１２に電気接続し、当該低域通過フィルタ１２を経由して信号をろ過してから当該ＲＦ信号変換器１３に電気接続し、当該ＲＦ信号変換器１３と当該アンテナ１４が接続関係を有し、当該ＲＦ信号変換器１３により処理した信号を、当該アンテナ１４を経由して電波として送信してその他無線装置と信号の交換処理を行い、当該アンテナ１４が収集した電波を、当該ＲＦ信号変換器１３を通じて信号を処理し、当該ＲＦ信号変換器１３が当該ローノイズアンプ１５と電気的に接続し、当該ローノイズアンプ１５が当該ＲＦ信号変換器１３からきた信号を増幅した後、当該帯域通過フィルタ１６に電気接続し、当該帯域通過フィルタ１６で信号を単純化して、余分なノイズを取り除いてから当該デジタル/アナログ変換器２２に電気接続し、当該デジタル/アナログ変換器２２を通じてデジタル信号をアナログ信号に変換し、更に当該出力ユニット４を通じて信号を出力する。当該マイクロプロセッサ５は当該ＲＦ信号変換器１３、当該アナログ/デジタル変換器２１及び当該デジタル/アナログ変換器２２とそれぞれ電気接続し、当該マイクロプロセッサ５を通じてこの３つの変換器に対して制御を行うことで信号の変換と伝送の効果を達成する。
【０００５】
これにより、本発明の発明者は、既知の通信装置の欠如の見地により、フロントエンドＲＦアンテナモジュールを具えた通信装置を発明するに至った。
【発明の開示】
【発明が解決しようとする課題】
【０００６】
本発明の主な目的は、フロントエンドＲＦアンテナモジュールを持つ通信装置を提供し、これは、チップアンテナ及びＲＦフロントエンド信号処理のコアチップモジュールを統合することで、電磁波の送信と受信効率を最適化させることにある。
【課題を解決するための手段】
【０００７】
前述の目的を達成するため、本発明はフロントエンドＲＦアンテナモジュールを持つ通信装置で、且つチップアンテナ及びＲＦフロントエンド信号処理のコアチップモジュールを含む。当該フロントエンドＲＦアンテナモジュールは、電磁波を送信して、その他無線装備と信号を交換することに用い、本発明でモジュール形式を使用することで、電磁波の送信と受信効率を最適化させることができる。
【０００８】
当該技術を熟知する者に本発明の目的、特徴及び効果について理解していただくため、下記の具体的な実施例を介し付属の図面を組み合わせることで、本発明に対する詳細な説明を後記のとおり行うものである。
【０００９】
図２は、本発明であるフロントエンドＲＦアンテナモジュールを具えた通信装置の具体的な実施例のデバイス関係図である。本発明であるフロントエンドＲＦアンテナモジュールを持つ通信装置には、フロントエンドＲＦアンテナモジュール１、信号処理モジュール２、入力ユニット３、出力ユニット４及びマイクロコントロールユニット５を含む。当該フロントエンドＲＦアンテナモジュール１は、無線信号の伝送と信号処理に用い、当該信号処理モジュール２をアナログとデジタル信号の変換処理に用い、当該入力ユニット３は例えばマイクロホンのような入力装置で、信号の入力に用い、該出力ユニット４は例えば受話器のような出力装置で、信号の出力に用い、及び当該マイクロコントロールユニット５は当該フロントエンドＲＦアンテナモジュールと当該信号処理モジュールを制御することに用い、また更に当該フロントエンドＲＦアンテナモジュールと該信号モジュールの信号伝送との交換制御に用いる選択手段を含む。前述の信号処理モジュール２が当該入力ユニット３、当該出力ユニット４及び当該フロントエンドＲＦアンテナモジュール１に電気接続し、且つ当該マイクロコントロールユニット４が当該フロントエンドＲＦアンテナモジュール１及び当該信号処理モジュール２に電気接続する。これにより、当該フロントエンドＲＦアンテナモジュール１が音声メッセージを運ぶ信号を受信した時、この信号を当該信号処理モジュール２に伝送して該マイクロコントロールユニット５の制御を通じ、当該出力ユニット４がこの信号に対応する音声メッセージを出力させること  ができる。その他にも、当該入力ユニット３が音声メッセージを受信した時、当該音声メッセージを運ぶ電気信号に変換してこの信号を当該フロントエンドＲＦアンテナモジュール１に伝送し、同時に当該マイクロコントロールユニット５の制御を通じ、当該フロントエンドＲＦアンテナモジュール１がこの音声メッセージに対応するＲＦ信号を出力させることができる。
【００１０】
前述の本発明であるフロントエンドＲＦアンテナモジュールを持つ通信装置の実施例において、当該フロントエンドＲＦアンテナモジュール１は、パワーアンプ１１、低域通過フィルタ１２、ＲＦ信号変換器１３、アンテナ１４、ローノイズアンプ１５及び帯域通過フィルタ１６を更に含む。当該アンテナ１４が当該フロントエンドＲＦアンテナモジュール１内に嵌め込まれているため、電磁波伝送の最適な効果を達成できる。その他にも当該信号処理モジュール２は更にアナログ/デジタル変換器２１及びデジタル/アナログ変換器２２を含む。
【００１１】
当該アナログ/デジタル変換器２１の一端は、当該入力ユニット３と電気接続し、他端が当該パワーアンプ１１と接続し、当該パワーアンプ１１が当該アナログ/デジタル変換器２１で得られた信号を増幅してから当該低域通過フィルタ１２に電気接続し、当該低域通過フィルタ１２を経由して信号をろ過し、その後当該ＲＦ信号変換器１３に電気接続し、当該ＲＦ信号変換器１３が当該アンテナ１４と接続関係を持ち、当該ＲＦ信号変換器１３によって処理された信号が当該アンテナ１４を経由して電波を送信してその他無線機装置と信号の交換処理を行い、当該アンテナ１４が収集した電波を更に当該ＲＦ信号変換器１３を通じて信号処理を行い、当該ＲＦ信号変換器１３が当該ローノイズアンプ１５と電気接続し、当該ローノイズアンプ１５が当該ＲＦ信号変換器１３から来た信号を増幅した後、当該帯域通過フィルタ１６に電気接続し、当該帯域通過フィルタ１６で信号を単純化し、余分なノイズを取り除いてから当該デジタル/アナログ変換器２２に電気接続し、当該デジタル/アナログ変換器２２を通じてデジタル信号をアナログ信号に変換してから当該出力ユニット４を通じて信号を出力する。当該マイクロプロセッサ５と当該ＲＦ信号変換器１３、当該アナログ/デジタル変換器２１及び当該デジタル/アナログ変換器２２が各々電気的に接続し、信号変換と伝送の効果を達成するため、当該マイクロプロセッサ５を通じてこの３つの変換器を制御する。
【００１２】
図３は、本発明であるフロントエンドＲＦアンテナモジュールを持つ通信装置の具体的な実施例の構造見取図である。本実施例を携帯電話１００で説明する。当該携帯電話１００の筐体表面にスクリーン１０１及び入力エリア１０２を設け、当該スクリーン１０１は映像を出力する装置で、当該入力エリア１０２は文字或いは記号でメッセージを入力する装置で、且つ当該携帯電話１００内部に前述の当該フロントエンドＲＦアンテナモジュール１、当該信号処理モジュール２、当該入力ユニット３、当該出力ユニット４及び当該マイクロコントロールユニット５を設置する。当該フロントエンドＲＦアンテナモジュール１が当該携帯電話１００内に設置され、且つ当該スクリーン１０１の位置に対応し、当該入力ユニット３、当該出力ユニット４及び当該マイクロコントロールユニット５が当該携帯電話１００内に設置され、且つ当該入力エリア１０２の位置に対応する。これにより、当該フロントエンドＲＦアンテナモジュール１内のパワーアンプ１１、低域通過フィルタ１２、ＲＦ信号変換器１３、アンテナ１４、ローノイズアンプ１５及び帯域通過フィルタ１６が、当該入力ユニット３、当該出力ユニット４及び当該マイクロコントロールユニット５から隔離されることで、当該フロントエンドＲＦアンテナモジュール１内の各デバイスの運転過程において、高周波数信号とその他電気ループを相互に隔離されるため、更に一歩進んで電気信号の干渉という問題を低減ができる。
【００１３】
以上、本発明について詳細に説明したが、上記に記載するものは本発明の好ましい実施例であり、これによって本発明の実施範囲を限定するものではなく、本発明の特許請求の範囲に基づいて行った均等改変と修飾は、全て本発明の特許カバー範囲にある。
【図面の簡単な説明】
【００１４】
【図１】一般的な既知の携帯電話モジュールのデバイス関係図である。
【図２】本発明であるフロントエンドＲＦアンテナモジュールを持つ通信装置の具体的な実施例のデバイス関係図である。
【図３】本発明であるフロントエンドＲＦアンテナモジュールを持つ通信装置の別の具体的な実施例の構造見取図である。
【符号の説明】
【００１５】
１  フロントエンドＲＦアンテナモジュール
１１  パワーアンプ
１２  低域通過フィルタ
１３  ＲＦ信号変換器
１４  アンテナ
１５  ローノイズアンプ
１６  帯域通過フィルタ
２  信号処理モジュール
２１  アナログ/デジタル変換器
２２  デジタル/アナログ変換器
３  入力ユニット
４  出力ユニット
５  マイクロコントロールユニット
１００  携帯電話
１０１  スクリーン
１０２  入力エリア
【図１】
2008301465.tif 000003
【図２】
2008301465.tif 000004
【図３】
2008301465.tif 000005